(57)【要約】【課題】簡単な構造で安価であり、かつ吹き出し開口の一部から集中して強く温冷風を吹き出すことを可能とする。【解決手段】リテーナ１内にフィン群３と交差する方向に延びる区画板４を配置し、ダンパ５の一端部が区画板４と当接することで空気流が部分的に流れるように構成した。  吹き出し開口10の上部から集中して強い温冷風を吹き出すことができ、局部的に強く冷やしたり暖めたりすることができる。【選択図】  図４
2005337607.tif 000002
【特許請求の範囲】
【請求項１】
空気吹き出し開口と空気流路を形成する筒状のリテーナと、該リテーナ内に互いに平行に配置された複数のフィンと、該リテーナ内に揺動可能に配置され該空気流路を開閉するダンパと、を有する風向調整装置であって、
該リテーナ内には該フィンと交差する方向に延び該空気流路を第１流路と第２流路とに区画する区画板が配置され、該ダンパの一端部が該区画板と当接することで空気流が該第１流路又は該第２流路に流れるように構成されたことを特徴とする風向調整装置。
【発明の詳細な説明】
【技術分野】
【０００１】
本発明は、自動車室内などに設けられ、温風又は冷風を吹き出す開口部を構成する風向調整装置に関する。
【背景技術】
【０００２】
自動車のインストルメントパネルなどには、空調装置からの温冷風を吹き出す開口部としてのレジスタが設けられている。このレジスタは、空気流路及び吹き出し開口を形成する筒状のリテーナと、リテーナ内に揺動自在に配置された互いに平行な複数の水平フィン及び垂直フィンと、ノブなど水平フィン又は垂直フィンを揺動させてリテーナに対する角度を可変することで送風方向を可変する可変手段とからなり、一般に手動により可変手段を駆動して水平フィン又は垂直フィンの角度を調節することで送風方向を調節可能とされている。
【０００３】
自動車のレジスタは、車室内を素早く空調すること、各座席の乗員に均等に風を送って快適性を向上させること、などを目的として、車室内に一般に複数個配置されている。しかし乗員数が少ない場合や、快適性の個人差などに応じて、各レジスタからの送風・停止を個別に制御する必要が生じる場合が多い。そこで従来のレジスタでは、リテーナ内にエアダンパが設けられ、乗員が手動によりエアダンパを駆動することでリテーナ内の空気流路を開閉可能とされている。
【０００４】
ところで夏期などにおいては、車両乗員の顔などに局部的に冷風を当てたい場合がある。また冬季には、かじかんだ手指に局部的に温風を当てたい場合がある。またサイド窓ガラスのドアミラー近傍部分のみの曇り除去を素早く行いたい場合もある。しかし従来のレジスタでは、温冷風の風量及び風向は可変とされているものの、吹き出し開口から均一に吹き出すように設計されている。またエアダンパは、吹き出し口からの送風・停止を制御するだけのものである。したがって吹き出し開口の一部から強く温冷風を吹き出すことは困難であった。
【０００５】
そこで特開平05−240495号公報には、少なくとも２組の枠体からなる風向調整ルーバーを併設した風向調整装置が提案されている。この風向調整装置によれば、各風向調整ルーバーを相対的に回動させることで、風を集中あるいは拡散させることができる。しかしこの風向調整装置では、複数組の風向調整ルーバーを相対的に回動可能に配置する必要があり、部品点数が多く組付け工数も多大になるという不具合がある。また風を集中させても、吹き出し開口の全体から吹き出すために風速は大きくならず、集中させた効果が十分に発現されないという不具合があった。
【０００６】
また特開2002−274168号公報には、主・副吹き出し口を有し、エアダンパとしての主弁と副弁を同軸上に設けた風向調整装置が提案されている。この風向調整装置によれば、主弁と副弁を種々の角度とすることでリテーナ内の流路形状を可変できるので、例えば副吹き出し口のみから集中して風を吹き出すことができる。したがって吹き出し開口の一部から強く温冷風を吹き出すことが可能である。しかしこの風向調整装置では、主弁と副弁が軸部で折れ曲がる構造としているために、構造が複雑でありコストも高いという問題がある。
【特許文献１】特開平05−240495号
【特許文献２】特開2002−274168号
【発明の開示】
【発明が解決しようとする課題】
【０００７】
本発明は上記した事情に鑑みてなされたものであり、簡単な構造で安価であり、かつ吹き出し開口の一部から強く温冷風を吹き出すことが可能な風向調整装置とすることを解決すべき課題とする。
【課題を解決するための手段】
【０００８】
上記課題を解決する本発明の風向調整装置の特徴は、空気吹き出し開口と空気流路を形成する筒状のリテーナと、リテーナ内に互いに平行に配置された複数のフィンと、リテーナ内に揺動可能に配置され空気流路を開閉するダンパと、を有する空気吹き出し口装置であって、リテーナ内にはフィンと交差する方向に延び空気流路を第１流路と第２流路とに区画する区画板が配置され、ダンパの一端部が区画板と当接することで空気流が第１流路又は第２流路に流れるように構成されたことにある。
【発明の効果】
【０００９】
本発明の風向調整装置によれば、吹き出し開口の一部から強く温冷風を吹き出すことができるので、局部的に強く冷やしたり暖めたりすることができ、好ましい冷暖房感覚が得られる。また、窓の曇りを部分的に早く除去することもできる。そして区画板を配設するだけの簡単な構造であるので、吹き出し開口を大きくする必要なく省スペースで設置できるとともに、安価となる。
【発明を実施するための最良の形態】
【００１０】
本発明の風向調整装置では、フィンと交差する方向に延び空気流路を第１流路と第２流路とに区画する区画板がリテーナ内に配置され、ダンパの一端部が区画板と当接することで空気流が第１流路又は第２流路に流れるように構成されている。例えばダンパの上端部が区画板と当接し、下端部がリテーナの内周表面と当接すれば、空気流はダンパに案内されて区画板の上方で形成された第１流路に集中して流れる。したがって吹き出し開口の上部から集中して強い温冷風を吹き出すことができ、局部的に強く冷やしたり暖めたりすることができる。
【００１１】
そしてダンパを区画板とほぼ平行として両端部が区画板及びリテーナの内周面と当接しないようにすれば、空気流はリテーナ全体を流れ吹き出し開口全体から吹き出す。またダンパの両端部をリテーナの内周面の互いに対向する両表面に当接させることで、吹き出し開口からの風の吹き出しを停止することができる。
【００１２】
リテーナは、空気吹き出し開口と空気流路を形成する筒状の部材であり、従来と同様のものを用いることができる。その内周の断面形状は、矩形であることが望ましい。他の形状では、ダンパと区画板が当接した状態で第１流路と第２流路とが部分的に連通するようになり、風が拡散しやすくなる。
【００１３】
リテーナ内には、互いに平行に配置された複数のフィンが配置されている。このフィン群は固定状態であってもよいが、各フィンが互いに同期して揺動自在に配置され、風向調節自在であることが望ましい。また、互いに直交する２組のフィン群を空気流の流れ方向に列設することも好ましい。
【００１４】
区画板は、空気流路を第１流路と第２流路とに区画するものであり、フィンと交差する方向に延びている。例えばフィンが水平フィンである場合には、区画板は例えば垂直方向に延びた構成とすることができる。この場合、区画板で区画された第１流路及び第２流路はリテーナの左右方向に併設される。またフィンが垂直フィンである場合には、区画板は例えば水平方向に延びた構成とすることができる。この場合、区画板で区画された第１流路及び第２流路はリテーナの上下方向に併設される。
【００１５】
この区画板は、例えばフィンあるいはリテーナと一体的に形成することができる。フィンが揺動可能である場合には、フィンの揺動を妨げないように形成する必要があり、フィンと干渉しない位置に形成したり、フィンの一部を切り欠いたりすることが望ましい。なお区画板は１枚に限らず、複数枚配置することもできる。
【００１６】
ダンパは空気流路を開閉するものであり、従来と同様にリテーナ内に揺動可能に配置され、一端部が区画板と当接するように構成されている。一端部が区画板と当接した状態では、残りの端部全面がリテーナの内周面と当接していることが望ましい。またダンパとしての機能を発現させるためには、リテーナの内周断面形状に対応した形状とし、全端面がリテーナ内周面に当接することで送風停止可能とする。なおダンパの少なくとも区画板と当接する端部あるいは区画板のダンパと当接する端部の少なくとも一方は、弾性を有する軟質部材から形成することが好ましい。軟質部材を配置することでシール性が高まり、吹き出す温冷風の集中度をさらに高めることができる。
【実施例】
【００１７】
以下、実施例及び比較例により本発明を具体的に説明する。本実施例は自動車のインストルメントパネルに設けられる空調用レジスタに本発明を適用したものである。
【００１８】
（実施例１）
図１〜４に本実施例の空調用レジスタを示す。この空調用レジスタは、車体に固定される角筒状のリテーナ１と、リテーナ１の吹き出し開口10近傍に揺動可能に保持された複数の水平フィン群２と、水平フィン群２より上流側でリテーナ１内に揺動可能に保持された複数の垂直フィン群３と、垂直フィン群３の上流側に配置された区画板４と、区画板４のさらに上流側でリテーナ１に揺動自在に保持されたダンパ５と、から構成され、リテーナ１の吹き出し開口10には意匠を構成する枠体６が固定されている。
【００１９】
複数の水平フィン群２は、互いに平行に配置された長尺板状の水平フィン本体20と、水平フィン本体20の一端から突出する第１軸部21と、他端から突出する第２軸部22と、から構成されている。第１軸部21は、リテーナ１の右側壁にそれぞれ回動自在に枢支されている。第２軸部22は、リテーナ１の左側壁に形成された溝11にそれぞれ回動自在に保持され、溝11から突出する第２軸部22に連結部材23がそれぞれ固定されている。そして連結部材23はそれぞれ細板状の連結ロッド24に枢支され、各水平フィン本体20は互いに同期して揺動可能となっている。また中央に位置する水平フィン本体20には、ノブ25が水平方向に移動自在に係合している。
【００２０】
複数の垂直フィン群３は、互いに平行に配置された長尺板状の垂直フィン本体30からなり、垂直フィン本体30の両端からは第２軸部31が突出してリテーナ１の上下壁にそれぞれ枢支されている。上方に突出する第２軸部31は、リテーナ１の上壁を貫通し、リテーナ１の上側でそれぞれ連結部材32の一端に固定されている。複数の連結部材32はそれぞれ連結ロッド33に回動自在に枢支されている。また中央に位置する垂直フィン本体30には、ノブ25が係合している。さらにそれぞれの垂直フィン本体30には、切欠き34が幅方向に形成されている。
【００２１】
したがってノブ25を持って水平フィン本体20を上下方向に揺動させると、連結ロッド24によって全ての水平フィン本体20が同期して上下方向に揺動するため、吹き出し開口10から吹き出す空気流の方向を上下方向に自在に調節することができる。またノブ25を水平方向に移動させると、ノブ25が係合している垂直フィン本体30が左右方向に揺動し、連結ロッド33によって全ての垂直フィン本体30が同期して左右方向に揺動する。これにより、吹き出し開口10から吹き出す空気流の方向を左右方向に自在に調節することができる。
【００２２】
区画板４はリテーナ１と一体的に、垂直方向でリテーナ１の上から１／３の距離の位置に水平方向に延びて形成され、リテーナ１内部を上下に区画して、区画板４の上部に第１流路が、区画板４の下部に第２流路が形成されている。またその下流側端部には、上下方向に貫通する係合溝40が垂直フィン本体30と同数形成されている。そして垂直フィン本体30の切欠き34が区画板４の係合溝40とそれぞれ係合することで、垂直フィン本体30はそれぞれ区画板４と干渉することなく左右に揺動可能となっている。
【００２３】
ダンパ５はリテーナ１の内周形状に対応する矩形の板状をなし、一対の軸部50が左右方向でリテーナ１に枢支されることで、ダンパ５は上下方向に揺動自在である。ダンパ５の揺動端部には、それぞれ軟質樹脂からなる当接部51が形成されている。またダンパ５には図示しないノブが連結され、乗員がそのノブを回動させることでダンパ５が上下に揺動するように構成されている。
【００２４】
上記のように構成された本実施例のレジスタでは、図２に示すように、通常の使用時にはダンパ５は略水平状態とされる。その状態では、空調装置からの空気流はリテーナ１全体を通過して第１流路と第２流路を流れ、吹き出し開口10全体から吹き出す。また図３に示すようにダンパ５を略垂直状態とすることで、リテーナ１がダンパ５によって塞がれるため、送風が停止される。
【００２５】
そして局部的に送風する場合には、図４に示すようにダンパ５の一端を区画板４と当接させる。この時、ダンパ５の他端はリテーナ１の底部に当接している。したがって空調装置からの空気流は区画板４の上側に形成された１／３の第１流路のみを流れ、流路の断面積が狭くなることから、送風速度が上昇した温冷風が吹き出し開口10の上部１／３からのみ吹き出す。したがって乗員の顔などを局部的に冷やしたり暖めたりすることができ、好ましい冷暖房感覚が得られる。また、窓の曇りを部分的に早く除去することもできる。
【００２６】
そして本実施例のレジスタは、従来に比べて区画板４を増設しただけの簡単な構造であるので、吹き出し開口を大きくする必要なく省スペースで設置できるとともに、安価となる。
【００２７】
（実施例２）
本実施例の空調用レジスタを図５に示す。このレジスタは、区画板を２枚用い、ダンパ５の枢支軸の位置を変更したこと以外は実施例１と同様である。
【００２８】
区画板４は、実施例１とほぼ同位置に形成されている。区画板４’は、垂直方向でリテーナ１の下から１／３の距離の位置に水平方向に延びて形成され、係合溝40が区画板４より長いスリット状に形成されている。またダンパ５は、実施例１と比べて下方に枢支軸をもち、揺動時に端部が区画板４と区画板４’にそれぞれ当接し、その状態で他端部がリテーナ１の底部にそれぞれ当接するように構成されている。
【００２９】
本実施例のレジスタでは、ダンパ５が上方の区画板４に当接した状態では、実施例１と同様に、送風速度が上昇した温冷風が吹き出し開口10の上部１／３からのみ吹き出す。またダンパ５が下方の区画板４’に当接した状態では、温冷風が送風速度がやや低下した状態で吹き出し開口10の上部２／３から吹き出す。そしてダンパ５が前端部が区画板４’より下方に傾斜した状態では、温冷風は送風速度が通常の状態まで低下して吹き出し開口10の全面から吹き出す。
【００３０】
したがって送付速度、送風位置を３段階で切り替えることができる。また実施例１に比べて吹き出し開口10が大きくなるような不具合もない。
【図面の簡単な説明】
【００３１】
【図１】本発明の一実施例の空調用レジスタの分解斜視図である。
【図２】本発明の一実施例の空調用レジスタの通常送風状態における断面図である。
【図３】本発明の一実施例の空調用レジスタの送風停止状態における断面図である。
【図４】本発明の一実施例の空調用レジスタの集中送風状態における断面図である。
【図５】本発明の第２実施例の空調用レジスタの断面図である。
【符号の説明】
【００３２】
１：リテーナ        ２：水平フィン群      ３：垂直フィン群
４：区画板          ５：ダンパ
【図１】
2005337607.tif 000003
【図２】
2005337607.tif 000004
【図３】
2005337607.tif 000005
【図４】
2005337607.tif 000006
【図５】
2005337607.tif 000007